(57)【要約】      （修正有）【課題】  簡易な構成によって、秘匿性に優れた相互認証が可能な無線伝送装置、相互認証方法および相互認証プログラムを提供する。【解決手段】  機器Ａおよび機器Ｂは、記録メディア２０Ａ，２０Ｂに自己の機器ＩＤ番号「機器ＩＤ−Ａ」，「機器ＩＤ−Ｂ」をそれぞれ書込んだ後に、記録メディア２０Ａ，２０Ｂを交換する。制御部４ａ，４ｂはそれぞれ、記録メディア２０Ｂ，２０Ａから機器ＩＤ番号「機器ＩＤ−Ｂ」，「機器ＩＤ−Ａ」を読出して不揮発記憶部５ａ，５ｂに一時保存する。認証通信モードでは、機器Ａおよび機器Ｂは、自己の機器ＩＤ番号を鍵として自己の無線部ＭＡＣアドレスを暗号化して送信する。さらに、受信したデータを記憶している伝送相手の機器ＩＤ番号を鍵として復号化し、伝送相手となる機器の無線部ＭＡＣアドレスを取得して認証モードを終了する。【選択図】        図３
2005286595.tif 000002
【特許請求の範囲】
【請求項１】
映像信号および音声信号を無線伝送する無線伝送装置であって、前記無線伝送装置に固有な識別子と前記無線伝送装置に固有な無線部識別情報とを含み、
前記無線伝送装置は、
無線伝送を行なう前記無線伝送装置間で伝送相手を互いに認証する相互認証手段と、
認証した前記無線伝送装置との間で前記映像信号および音声信号の無線伝送を行なう無線伝送手段とを備え、
前記相互認証手段は、
伝送相手となる前記無線伝送装置に固有な前記識別子を第２の識別子とし、前記第２の識別子を不揮発的に記憶する識別子記憶手段と、
自己の前記無線伝送装置に固有な前記識別子を第１の識別子とし、前記第１の識別子を鍵として、前記無線部識別情報を暗号化する暗号化手段と、
暗号化した前記無線部識別情報を送信する識別情報送信手段と、
受信した前記伝送相手の無線伝送装置に固有な前記無線部識別情報を、前記第２の識別子を鍵として復号化し、前記伝送相手の無線伝送装置に固有な前記無線部識別情報を抽出する認証手段と、
抽出した前記伝送相手の無線伝送装置に固有な前記無線部識別情報を不揮発的に記憶する識別情報記憶手段とを含む、無線伝送装置。
【請求項２】
前記識別子記憶手段は、
着脱可能な記録媒体に前記第１の識別子を書込む識別子書込手段と、
前記伝送相手の無線伝送装置から取得した前記記録媒体から前記第２の識別子を読み出す識別子読出手段とを含む、請求項１に記載の無線伝送装置。
【請求項３】
無線伝送を行なう第１の無線伝送装置と第２の無線伝送装置との間で伝送相手を互いに認証する相互認証方法であって、
前記第１の無線伝送装置は、前記第１の無線伝送装置に固有な第１の識別子および第１の無線部識別情報と第１の不揮発記憶部とを含み、
前記第２の無線伝送装置は、前記第２の無線伝送装置に固有な第２の識別子および第２の無線部識別情報と第２の不揮発記憶部とを含み、
前記第１および第２の不揮発記憶部に対して、前記第２および第１の識別子をそれぞれ書込むステップと、
前記第１の無線伝送装置において、前記第１の識別子を鍵として前記第１の無線部識別情報を暗号化して送信するステップと、
前記第２の無線伝送装置において、受信した前記第１の無線部識別情報を前記第２の識別子を鍵として復号化し、前記第１の無線部識別情報を抽出するステップと、
前記第２の無線伝送装置において、前記第２の識別子を鍵として前記第２の無線部識別情報を暗号化して送信するステップと、
前記第２の無線伝送装置において、受信した前記第１の無線部識別情報を前記第１の識別子を鍵として復号化し、前記第１の無線部識別情報を抽出するステップと、
前記第１および第２の不揮発記憶部に、抽出した前記第２および第１の無線部識別情報をそれぞれ記憶させるステップとを備える、相互認証方法。
【請求項４】
前記第１および第２の不揮発記憶部に対して、前記第２および第１の識別子をそれぞれ書込むステップは、
前記第１および第２の無線伝送装置の各々に装着された第１および第２の記録媒体に対して、第１および第２の識別子をそれぞれ書込むステップと、
前記第１および第２の無線伝送装置の間で、前記第１および第２の記録媒体を交換するステップと、
前記第１および第２の無線伝送装置の各々に新たに装着された前記第２および第１の記録媒体から、前記第２および第１の識別子をそれぞれ読み出して一時的に保存するステップとを含む、請求項３に記載の相互認証方法。
【請求項５】
無線伝送を行なう第１の無線伝送装置と第２の無線伝送装置との間で伝送相手を互いに認証する相互認証プログラムであって、コンピュータに、
前記第１の無線伝送装置は、前記第１の無線伝送装置に固有な第１の識別子および第１の無線部識別情報と第１の不揮発記憶部とを含み、
前記第２の無線伝送装置は、前記第２の無線伝送装置に固有な第２の識別子および第２の無線部識別情報と第２の不揮発記憶部とを含み、
前記第１および第２の不揮発記憶部に対して、前記第２および第１の識別子をそれぞれ書込むステップと、
前記第１の無線伝送装置において、前記第１の識別子を鍵として前記第１の無線部識別情報を暗号化して送信するステップと、
前記第２の無線伝送装置において、受信した前記第１の無線部識別情報を前記第２の識別子を鍵として復号化し、前記第１の無線部識別情報を抽出するステップと、
前記第２の無線伝送装置において、前記第２の識別子を鍵として前記第２の無線部識別情報を暗号化して送信するステップと、
前記第２の無線伝送装置において、受信した前記第１の無線部識別情報を前記第１の識別子を鍵として復号化し、前記第１の無線部識別情報を抽出するステップと、
前記第１および第２の不揮発記憶部に、抽出した前記第２および第１の無線部識別情報をそれぞれ記憶させるステップとを実行させる、相互認証プログラム。
【請求項６】
前記第１および第２の不揮発記憶部に対して、前記第２および第１の識別子をそれぞれ書込むステップは、
前記第１および第２の無線伝送装置の各々に装着された第１および第２の記録媒体に対して、第１および第２の識別子をそれぞれ書込むステップと、
前記第１および第２の無線伝送装置の間で、前記第１および第２の記録媒体を交換するステップと、
前記第１および第２の無線伝送装置の各々に新たに装着された前記第２および第１の記録媒体から、前記第２および第１の識別子をそれぞれ読み出して一時的に保存するステップとを含む、請求項５に記載の相互認証プログラム。
【発明の詳細な説明】
【技術分野】
【０００１】
この発明は、無線伝送装置、相互認証方法および相互認証プログラムに関し、より特定的には、映像信号および音声信号（以下、ＡＶデータとも称する）を無線伝送する際に相互認証を行なう無線伝送装置、このような無線伝送装置で行なわれる相互認証方法および相互認証プログラムに関する。
【背景技術】
【０００２】
近年、ホームネットワーク分野が大きく注目されており、無線ホームネットワークの確立のための技術開発が盛んに行なわれている。その１つとして、家庭内やオフィス内などの限られた範囲の空間において、ビデオやＤＶＤ（Digital Versatile Disc）プレーヤーなどのＡＶデータ再生装置と、テレビやプロジェクターなどのＡＶデータ表示装置との間を無線で結合する無線ＡＶ伝送機器が開発されている。
【０００３】
図７は、無線ＡＶ伝送機器の一般的な使用形態を説明するための概略図である。
【０００４】
図７を参照して、家庭８０の各階には、ＡＶデータ表示装置４０ａ〜４０ｃ（たとえばテレビとする）が設置される。また、１階には、ＡＶデータ表示装置４０ａに接続されてＡＶデータ再生装置５０ａ（たとえばビデオとする）が設置される。ＡＶデータ再生装置３０ａおよびＡＶデータ表示装置４０ｂ，４０ｃには、それぞれ無線ＡＶ伝送機器７０ａ〜７０ｃが接続される。
【０００５】
このような構成において、通常の通信モード時には、１階に設けられたＡＶデータ再生装置５０ａにおいて再生されたＡＶデータは、ＡＶデータ表示装置４０ａに有線伝送されるとともに、無線ＡＶ伝送機器７０ａによって無線信号に変換されて、２階および３階に設置される無線ＡＶ伝送機器７０ｂ，７０ｃにそれぞれ伝送される。
【０００６】
さらに、伝送された無線信号は、無線ＡＶ伝送機器７０ｂ，７０ｃによって受信されると、元のＡＶデータに変換されてＡＶデータ表示装置４０ｂ，４０ｃからそれぞれ出力される。
【０００７】
ここで、図７のように、ユーザの所望するＡＶデータ信号再生装置とＡＶデータ表示装置とを正確に結合するためには、それぞれに配された無線ＡＶ伝送機器の間で、無線伝送に先立って相互認証を行なうことが必要となる。なぜなら、ＡＶデータは無線伝送されることから、有線伝送とは異なり、不特定多数の無線ＡＶ伝送機器、たとえば他の家庭内の無線ＡＶ伝送装置においても受信され得るからである。
【０００８】
この相互認証動作については、ＰＣ（Personal Computer）などの端末装置間のデータ伝送等に採用されている無線ＬＡＮ（Local Area Network）の技術分野において、従来から開発されており、その一例が特許文献１に記載される。
【０００９】
図８は、特許文献１に記載の相互認証方式を説明するための構成図である。
【００１０】
図８を参照して、ＩＣカード装置などの情報担体１００とセンター管理の情報処理装置１１０とは、情報通信を行なうにあたり、互いに相手を確認し合う相互認証を実行する。
【００１１】
詳細には、最初に、情報担体１００は、第１の記憶手段１０１に予め格納される固有データＩＤを第１の伝送手段１０８を用いて、通信相手となる情報処理装置１１０に送信する。なお、固有データＩＤは、個々の情報担体に固有のデータであり、情報処理装置１１０において管理されている。
【００１２】
情報処理装置１１０は、受信した固有データＩＤと第３の記憶手段１１１に格納されるセンター鍵とから、データ処理手段１１２によって個々の情報担体に固有のマスター鍵ｋｍを生成する。すなわち、１つの固有データＩＤに対応して、１つのマスター鍵ｋｍが生成される。このマスター鍵ｋｍは、情報担体１００の第２の記憶手段１０２に予め格納される。
【００１３】
情報処理装置１１０は、さらに、鍵生成手段１１６により、ランダムにセッション鍵ｋｓを作成する。第２の暗号化手段１１３は、セッション鍵ｋｓをデータ処理手段１１１２から得たマスター鍵ｋｍで暗号化する。暗号化されたデータＥｋｍ［ｋｓ］は、第２の伝送手段１１８により情報担体１００に伝送される。
【００１４】
次に、情報担体１００は、暗号化されたデータＥｋｍ［ｋｓ］を受信すると、第１の復号化手段１０３において、第２の記憶手段１０２に記憶されるマスター鍵ｋｍを用いて復号化する。
【００１５】
さらに、復号化されたデータであるセッション鍵ｋｓは、第１の暗号化手段１０５に転送される。第１の暗号化手段１０５は、このセッション鍵ｋｓを鍵として、結合手段１０４からの結合データを暗号化する。暗号化された結合データＥｋｓ［Ｒ‖ＩＤ］は、第１の伝送手段１０８を通して情報処理装置１１０に伝送される。ここで、結合データＥｋｓ［Ｒ‖ＩＤ］は、第１の記憶手段１０１に格納される固有データＩＤと、乱数生成手段１０６により生成された乱数Ｒとをシーケンシャルに繋ぎ合わせたものである。
【００１６】
情報処理装置１１０は、第２の復号化手段１１５において、結合データＥｋｓ［Ｒ‖ＩＤ］をセッション鍵ｋｓを用いて復号化する。復号化されたデータＲ‖ＩＤは、分離手段１１４によって、乱数Ｒ’と固有データＩＤ’とに分離される。
【００１７】
第２の比較手段１１７は、固有データＩＤ’と最初に受信した固有データＩＤとを比較し、情報担体１００を認証する。このとき、両データが一致しなければ、何らかの不正があったものとして情報担体１００を拒否する。
【００１８】
情報担体１００では、第１の比較手段１０７において、受信した乱数Ｒ’と乱数生成手段１０６において生成した乱数Ｒとを比較し、情報処理装置１１０を認証する。このとき、両者が一致しなければ、何らかの不正があったものとして情報処理装置１１０を拒否する。
【００１９】
以上の動作によって、互いに相手が認証されることによってはじめて、両者の間で情報通信が可能となる。その後の通信は、セッション鍵ｋｓを用いて行なわれる。
【特許文献１】特公平６−８７２３４号公報
【発明の開示】
【発明が解決しようとする課題】
【００２０】
従来の相互認証方式は、情報処理装置においてマスター鍵およびセッション鍵を生成し、これらの鍵を用いて暗号化した情報を情報担体との間でやり取りすることから、高いセキュリティを保持することができる。
【００２１】
しかしながら、個々の装置においては、複雑な暗号化方式を用いて複雑かつ高度な処理を行なわなければならず、今後急速な普及が見込まれる無線ホームネットワークへの適用を困難なものとしていた。
【００２２】
したがって、無線ＡＶ伝送機器の汎用性を高めるためには、簡易な相互認証方法であって、なおも高いセキュリティが保証されることが必要となる。
【００２３】
それゆえ、この発明の目的は、簡易な構成によって、秘匿性に優れた相互認証が可能な無線伝送装置、相互認証方法および相互認証プログラムを提供することである。
【課題を解決するための手段】
【００２４】
この発明のある局面によれば、映像信号および音声信号を無線伝送する無線伝送装置であって、無線伝送装置に固有な識別子と無線伝送装置に固有な無線部識別情報とを含み、無線伝送装置は、無線伝送を行なう無線伝送装置間で伝送相手を互いに認証する相互認証手段と、認証した無線伝送装置との間で映像信号および音声信号の無線伝送を行なう無線伝送手段とを備える。相互認証手段は、伝送相手となる無線伝送装置に固有な識別子を第２の識別子とし、第２の識別子を不揮発的に記憶する識別子記憶手段と、自己の無線伝送装置に固有な識別子を第１の識別子とし、第１の識別子を鍵として、無線部識別情報を暗号化する暗号化手段と、暗号化した無線部識別情報を送信する識別情報送信手段と、受信した伝送相手の無線伝送装置に固有な無線部識別情報を、第２の識別子を鍵として復号化し、伝送相手の無線伝送装置に固有な無線部識別情報を抽出する認証手段と、抽出した伝送相手の無線伝送装置に固有な無線部識別情報を不揮発的に記憶する識別情報記憶手段とを含む。
【００２５】
好ましくは、識別子記憶手段は、着脱可能な記録媒体に第１の識別子を書込む識別子書込手段と、伝送相手の無線伝送装置から取得した記録媒体から第２の識別子を読み出す識別子読出手段とを含む。
【００２６】
この発明の別の局面によれば、無線伝送を行なう第１の無線伝送装置と第２の無線伝送装置との間で伝送相手を互いに認証する相互認証方法であって、第１の無線伝送装置は、第１の無線伝送装置に固有な第１の識別子および第１の無線部識別情報と第１の不揮発記憶部とを含み、第２の無線伝送装置は、第２の無線伝送装置に固有な第２の識別子および第２の無線部識別情報と第２の不揮発記憶部とを含み、第１および第２の不揮発記憶部に対して、第２および第１の識別子をそれぞれ書込むステップと、第１の無線伝送装置において、第１の識別子を鍵として第１の無線部識別情報を暗号化して送信するステップと、第２の無線伝送装置において、受信した第１の無線部識別情報を第２の識別子を鍵として復号化し、第１の無線部識別情報を抽出するステップと、第２の無線伝送装置において、第２の識別子を鍵として第２の無線部識別情報を暗号化して送信するステップと、第２の無線伝送装置において、受信した第１の無線部識別情報を第１の識別子を鍵として復号化し、第１の無線部識別情報を抽出するステップと、第１および第２の不揮発記憶部に、抽出した第２および第１の無線部識別情報をそれぞれ記憶させるステップとを備える。
【００２７】
好ましくは、第１および第２の不揮発記憶部に対して、第２および第１の識別子をそれぞれ書込むステップは、第１および第２の無線伝送装置の各々に装着された第１および第２の記録媒体に対して、第１および第２の識別子をそれぞれ書込むステップと、第１および第２の無線伝送装置の間で、第１および第２の記録媒体を交換するステップと、第１および第２の無線伝送装置の各々に新たに装着された第２および第１の記録媒体から、第２および第１の識別子をそれぞれ読み出して一時的に保存するステップとを含む。
【００２８】
この発明の別の局面によれば、無線伝送を行なう第１の無線伝送装置と第２の無線伝送装置との間で伝送相手を互いに認証する相互認証プログラムであって、コンピュータに、第１の無線伝送装置は、第１の無線伝送装置に固有な第１の識別子および第１の無線部識別情報と第１の不揮発記憶部とを含み、第２の無線伝送装置は、第２の無線伝送装置に固有な第２の識別子および第２の無線部識別情報と第２の不揮発記憶部とを含み、第１および第２の不揮発記憶部に対して、第２および第１の識別子をそれぞれ書込むステップと、第１の無線伝送装置において、第１の識別子を鍵として第１の無線部識別情報を暗号化して送信するステップと、第２の無線伝送装置において、受信した第１の無線部識別情報を第２の識別子を鍵として復号化し、第１の無線部識別情報を抽出するステップと、第２の無線伝送装置において、第２の識別子を鍵として第２の無線部識別情報を暗号化して送信するステップと、第２の無線伝送装置において、受信した第１の無線部識別情報を第１の識別子を鍵として復号化し、第１の無線部識別情報を抽出するステップと、第１および第２の不揮発記憶部に、抽出した第２および第１の無線部識別情報をそれぞれ記憶させるステップとを実行させる。
【００２９】
好ましくは、第１および第２の不揮発記憶部に対して、第２および第１の識別子をそれぞれ書込むステップは、第１および第２の無線伝送装置の各々に装着された第１および第２の記録媒体に対して、第１および第２の識別子をそれぞれ書込むステップと、第１および第２の無線伝送装置の間で、第１および第２の記録媒体を交換するステップと、第１および第２の無線伝送装置の各々に新たに装着された第２および第１の記録媒体から、第２および第１の識別子をそれぞれ読み出して一時的に保存するステップとを含む。
【発明の効果】
【００３０】
この発明によれば、機器ＩＤ番号が既知の無線ＡＶ伝送機器とのみ認証動作が行なわれるため、相互認証時の他の家庭やオフィスとの誤認混信を回避することができ、無線ＡＶ伝送システムにおける高いセキュリティの保持が可能となる。
【００３１】
また、伝送相手の機器ＩＤ番号の記録は、記録メディアを媒体として容易に行なうことができるため、複雑な処理手段を要せず、簡易に相互認証を行なうことができる。
【発明を実施するための最良の形態】
【００３２】
以下において、本発明の実施の形態について図面を参照して詳しく説明する。なお、図中同一符号は同一または相当部分を示す。
【００３３】
図１は、この発明の実施の形態に従う無線ＡＶ伝送機器の全体構成を示す機能ブロック図である。
【００３４】
図１を参照して、無線ＡＶ伝送機器１０は、ＡＶデータが入力／出力される映像音声入出力部１と、無線伝送を行なう相手の無線ＡＶ伝送機器（図示せず）に無線信号を送受する無線部２およびアンテナ３と、機器全体を制御する制御部４と、後述する機器ＩＤ番号を不揮発的に記憶する不揮発記憶部５と、記録メディア２０が着脱可能なメディアスロット６と、図示しないリモートコントローラ（以下、リモコンとも称する）から照射された赤外線信号に含まれる制御情報を制御部４に伝達するリモコン制御部７とを備える。
【００３５】
映像音声入出力部１は、図示しないＡＶデータ信号出力端子とＡＶデータ信号入力端子とを含む。たとえば図７に示したような使用形態において、無線ＡＶ伝送機器１０がＡＶデータ表示装置４０ｂ,４０ｃに接続されるときには、図示しないＡＶデータ信号出力端子は、ＡＶデータ表示装置４０ｂ,４０ｃのＡＶデータ入力端子（図示せず）にそれぞれ結合される。これにより、無線ＡＶ伝送機器１０の映像音声入出力部１は、ＡＶデータ再生装置５０ａから、無線ＡＶ伝送機器７０ａ，７０ｂあるいは無線ＡＶ伝送機器７０ａ，７０ｃを介して受信したＡＶデータを対応するＡＶデータ表示装置４０ｂ,４０ｃに転送する。
【００３６】
一方、無線ＡＶ伝送機器１０が図７のＡＶデータ再生装置５０ａに接続されるときには、図示しないＡＶデータ信号入力端子は、ＡＶデータ再生装置５０ａのＡＶデータ信号出力端子（図示せず）に結合される。これにより、無線ＡＶ伝送機器１０の映像音声入出力部１は、ＡＶデータ再生装置５０ａにて再生されたＡＶデータを受ける。
【００３７】
無線部２は、映像音声入出力部１に入力されたＡＶデータを無線信号に変換して、アンテナ３から出力するとともに、アンテナ３にて受信した伝送相手の無線ＡＶ伝送機器１０からの無線信号を元のＡＶデータに復元し、映像音声入出力部１に転送する。
【００３８】
不揮発記憶部５は、無線ＡＶ伝送機器１０に固有な識別子である機器ＩＤ番号を不揮発的に記憶する。不揮発記憶部５は、たとえばフラッシュメモリやＥＥＰＲＯＭ（electrically erasable programmable read only memory）などの不揮発性メモリやハードウェアで構成される。
【００３９】
制御部４は、機器全体の制御に加えて、不揮発記憶部５に対して機器ＩＤ番号の書込み／読出しを実行する。制御部４は、さらにメディアスロット６に挿入された記録メディア２０に対してもデータの書込み／読出しを行なうことができる。
【００４０】
ここで、図１の無線ＡＶ伝送機器１０にて行なわれるＡＶデータの無線伝送について説明する。図２は、２つの無線ＡＶ伝送機器１０（たとえば１０ａ，１０ｂとする）の間で行なわれるＡＶデータの無線伝送を説明するための概略図である。
【００４１】
図２を参照して、無線ＡＶ伝送機器１０ａは、映像音声入出力部１ａにおいてＡＶデータ表示装置４０ａに接続される。無線ＡＶ伝送機器１０ｂは、映像音声入出力部１ｂにおいてＡＶデータ再生装置５０ｂに接続される。
【００４２】
まず、所望のＡＶデータ表示装置４０ａにてＡＶデータを視聴したいユーザは、リモコン３０ａを操作し、ＡＶデータ表示装置４０ａに接続される無線ＡＶ伝送機器１０ａにＡＶデータ再生を指示する制御信号となる赤外線信号を照射する。この赤外線信号は、無線ＡＶ伝送機器１０ａにて受信されると、リモコン制御部７ａにおいて電気信号に変換される。
【００４３】
電気信号は、さらに制御部４ａを介して無線部２ａに転送されると、制御信号となる無線信号に変換されてアンテナ３ａから送信される。無線信号は、ＡＶデータ再生装置５０ｂに接続される無線ＡＶ伝送機器１０ｂのアンテナ３ｂにて受信される。
【００４４】
次に、ＡＶデータ再生装置５０ｂに接続される無線ＡＶ伝送機器１０ｂでは、アンテナ３ｂで受信した無線信号は、無線部２ｂで無線復号され、制御部４ｂを介してリモコン制御部７ｂに送られる。リモコン制御部７ｂにおいて、受信した無線信号を赤外線信号に複製し、赤外線発光モジュール６０ｂから出力する。ＡＶデータ再生装置５０ｂは、内部のリモコン受信部（図示せず）において赤外線信号を受信すると、赤外線信号による制御信号を認識し、ユーザの指示する動作を行なう。
【００４５】
ＡＶデータ再生装置５０ｂは、再生したＡＶデータを当該装置に接続される無線ＡＶ伝送機器１０ｂに送信する。無線ＡＶ伝送機器１０ｂは、映像音声入出力部１ｂにおいてＡＶデータを受けると、無線部２ｂで無線信号に変換してアンテナ３より送信する。
【００４６】
最後に、無線信号は、ＡＶデータ表示装置４０ａに接続される無線ＡＶ伝送機器１０ａのアンテナ３ａで受信されると、無線部２ａにおいて元のＡＶデータに変換され、映像音声入出力部１ａからＡＶデータ表示装置４０ａに転送される。ＡＶデータ表示装置４０ａでは、ＡＶデータの映像信号に基づいて映像が再生表示されるとともに、ＡＶデータの音声信号に基づいて音声が再生される。
【００４７】
以上のように、複数の無線ＡＶ伝送機器間で制御信号である赤外線信号とＡＶデータとを無線伝送することにより、ユーザはＡＶデータ再生装置を遠隔操作して所望のＡＶデータ表示装置により映像音声を視聴することができる。
【００４８】
ここで、かかる動作を誤動作なく確実に行なうためには、先述のように、無線伝送を実行する無線ＡＶ伝送機器の間で、互いに相手を確認し合う相互認証がなされていることが必要とされる。以下に、本実施の形態に係る無線ＡＶ伝送機器間の相互認証方法について説明する。
【００４９】
図３は、図１の無線ＡＶ伝送機器１０における相互認証方法を説明するための概略図である。
【００５０】
本実施の形態に係る相互認証方法は、図３に示すように、時系列的に配列される３つの状態（状態１、状態２および状態３）で構成される。なお、以下においては、無線伝送を行なう２つの無線ＡＶ伝送機器１０Ａ，１０Ｂをそれぞれ、機器Ａおよび機器Ｂとも称する。
【００５１】
最初に、状態１〜状態３に示す認証モードの前提として、機器Ａには、無線ＡＶ伝送機器１０Ａに固有の識別子である機器ＩＤ番号「機器ＩＤ−Ａ」が付与されている。機器Ｂについても同様に、無線ＡＶ伝送機器１０Ｂに固有の識別子である機器ＩＤ番号「機器ＩＤ−Ｂ」が付与されている。
【００５２】
図３の状態１において、無線ＡＶ伝送機器１０Ａのメディアスロット６ａには、記録メディア２０Ａが挿入される。制御部４ａは、機器Ａに固有の機器ＩＤ番号「機器ＩＤ−Ａ」を記録メディア２０Ａに書込む。
【００５３】
無線ＡＶ伝送機器１０Ｂにおいても同様に、制御部４ｂは、メディアスロット６ｂに挿入された記録メディア２０Ｂに、機器Ｂに固有の機器ＩＤ番号「機器ＩＤ−Ｂ」を書込む。
【００５４】
機器Ａおよび機器Ｂは、自己の機器ＩＤ番号が対応する記録メディア２０Ａ，２０Ｂにそれぞれ書込まれたことに応じて状態２へと遷移する。
【００５５】
次に、状態２では、無線伝送を行なう無線ＡＶ伝送機器１０Ａ，１０Ｂは、記録メディア２０Ａ，２０Ｂを交換し、交換した記録メディア２０Ａ，２０Ｂを自己のメディアスロット６ａ，６ｂに装着する。すなわち、図３に示すように、機器Ａに固有の機器ＩＤ番号「機器ＩＤ−Ａ」が書込まれた記録メディア２０Ａは、機器Ｂのメディアスロット６ｂに装着される。一方、機器Ｂに固有の機器ＩＤ番号「機器ＩＤ−Ｂ」が書込まれた記録メディア２０Ｂは、機器Ａのメディアスロット６ａに装着される。
【００５６】
続いて、機器Ａおよび機器Ｂの制御部４ａ，４ｂは、それぞれ装着された記録メディア２０Ａ，２０Ｂに記録されている機器ＩＤ番号を読み出す。詳細には、機器Ａの制御部４ａは、記録メディア２０Ｂから機器Ｂに固有の機器ＩＤ番号「機器ＩＤ−Ｂ」を読み出す。一方、機器Ｂの制御部４ｂは、記録メディア２０Ａから機器Ａに固有の機器ＩＤ番号「機器ＩＤ−Ａ」を読み出す。読み出された機器ＩＤ番号は、無線ＡＶ伝送機器１０Ａ，１０Ｂ内の不揮発記憶部５ａ，５ｂに一時的に保存される。
【００５７】
状態２では、さらに、自己の機器ＩＤ番号と一時保存している伝送相手の機器ＩＤ番号とを用いて、伝送相手を互いに認証する認証通信モードに移行する。認証通信モードでは、後述するように、機器ＩＤ番号を鍵として無線ＡＶ伝送機器１０に固有の無線部識別情報となる無線部ＭＡＣアドレス（Media Access Control address）アドレスを暗号化して送信することにより、伝送相手となる無線ＡＶ伝送機器１０のみが自己の無線部ＭＡＣアドレスを取得することができる。
【００５８】
最後に、状態３として、取得した伝送相手の無線部ＭＡＣアドレスを不揮発記憶部５に記憶して、相互認証動作を終了する。以降の通信モードにおいては、無線ＡＶ伝送機器１０は、記憶した無線部ＭＡＣアドレスを宛先に指定して無線伝送を行なう。
【００５９】
図４は、図３に示す相互認証動作の前半部（状態１から状態２の前半まで）を説明するためのフロー図である。
【００６０】
図４を参照して、機器Ａは、機器内部のメディアスロットに装着された記録メディア２０Ａに自己に固有の機器ＩＤ番号「機器ＩＤ−Ａ」を書込む（ステップＳ０２）。
【００６１】
次に、記録メディア２０Ａを伝送相手となる無線ＡＶ伝送機器１０Ｂ（機器Ｂ）と交換し、交換した記録メディア２０Ｂを新たにメディアスロットに挿入する。制御部４ａは、記録メディア２０Ｂに書込まれている機器Ｂに固有の機器ＩＤ番号「機器ＩＤ−Ｂ」を読出し（ステップＳ０４）、不揮発記憶部５ａに一時保存する（ステップＳ０５）。
【００６２】
機器Ｂにおいても同様に、ステップＳ１２〜Ｓ１５にしたがって、機器Ａに固有の機器ＩＤ番号「機器ＩＤ−Ａ」を内部の不揮発記憶部５ｂに一時保存する。
【００６３】
機器Ａおよび機器Ｂは、それぞれステップＳ０５，Ｓ１５における機器ＩＤ番号の一時保存を終えると、認証通信モードに移行する。このとき、認証する相手側の無線ＡＶ伝送機器１０には、自己に固有の機器ＩＤ番号が記録メディア２０によって知らされているので、自己の機器ＩＤ番号を知っている機器とのみ認証動作を行なうこととなる。
【００６４】
図５は、図３に示す相互認証動作の後半部（状態２の後半から状態３まで）を説明するためのフロー図である。
【００６５】
図５に示すように、認証通信モードでは、機器Ａおよび機器Ｂは、各無線ＡＶ伝送機器１０に固有な無線部ＭＡＣアドレスを暗号化して送信する。なお、無線部ＭＡＣアドレスとは、各機器の無線部に固定的に割り振られるアドレスであり、これによってデータの送信先、宛先が指定される。本実施の形態は、機器ＩＤ番号を無線部ＭＡＣアドレスを暗号化するための鍵として用いることを特徴とする。
【００６６】
詳細には、機器Ａ側では、機器Ａに固有の無線部ＭＡＣアドレスが機器ＩＤ番号「機器ＩＤ−Ａ」を鍵として暗号化される（ステップＳ２１）。暗号化された無線部ＭＡＣアドレスは、宛先を指定しないオープンアドレスに対して送信される（ステップＳ２２）。機器Ａは、無線部ＭＡＣアドレスを送信すると、これに対する応答の受信待機状態となる（ステップＳ２３）。
【００６７】
機器Ａは、ステップＳ２３において、応答を待機するとともに、その待機時間を内部のタイマ手段によって計時する（ステップＳ２４）。タイマ手段には、予め所定の待機時間が設定されており、設定した待機時間に至るまで受信待機の状態を保持する（ステップＳ２５）。この設定時間内に応答の受信がなければ、機器Ａは認証モードを終了する（ステップＳ２６）。
【００６８】
一方、ステップＳ２３において設定時間内に応答の受信が得られると（ステップＳ２７）、機器Ａの無線部２は、受信したデータを、不揮発記憶部５に記憶されている機器Ｂの機器ＩＤ番号「機器ＩＤ−Ｂ」を鍵として復号化する（ステップＳ２８）。復号化に成功すれば、すなわち、機器ＩＤ番号「機器ＩＤ−Ｂ」が既知である機器Ｂからの応答が確認されれば、受信データから機器Ｂの無線部ＭＡＣアドレスを抽出する（ステップＳ３１）。
【００６９】
機器Ａは、抽出した機器Ｂの無線部ＭＡＣアドレスを送信先のアドレスとして、不揮発記憶部５ａに記憶する（ステップＳ３２）。このとき、一時保存状態であった機器ＩＤ番号「機器ＩＤ−Ｂ」についても不揮発記憶部５ａに記憶し、認証モードを終了する（ステップＳ３３）。
【００７０】
一方、ステップＳ２９において、復号化ができない場合、すなわち機器ＩＤ番号が既知ではない機器Ｂ以外の機器からの応答であった場合は、送信側の機器を認証せずに認証モードを終了する（ステップＳ３０）。
【００７１】
これに対して、機器Ｂ側では、機器Ｂに固有の無線部ＭＡＣアドレスが機器ＩＤ番号「機器ＩＤ−Ｂ」を鍵として暗号化される（ステップＳ４１）。暗号化された無線部ＭＡＣアドレスは、宛先を指定しないオープンアドレスに対して送信される（ステップＳ４２）。機器Ｂは、無線部ＭＡＣアドレスを送信すると、これに対する応答の受信待機状態となる（ステップＳ４３）。
【００７２】
機器Ｂは、ステップＳ４３において、応答を待機するとともに、その待機時間を内部のタイマ手段によって計時する（ステップＳ４４）。タイマ手段には、予め所定の待機時間が設定されており、設定した待機時間に至るまで受信待機の状態を保持する（ステップＳ４５）。この設定時間内に応答の受信がなければ、機器Ｂは認証モードを終了する（ステップＳ４６）。
【００７３】
一方、ステップＳ４３において設定時間内に応答の受信が得られると（ステップＳ４７）、機器Ｂの無線部２は、受信したデータを、不揮発記憶部５ｂに記憶されている機器Ａの機器ＩＤ番号「機器ＩＤ−Ａ」を鍵として復号化する（ステップＳ４８）。復号化に成功すれば（ステップＳ４９）、すなわち、機器ＩＤ番号「機器ＩＤ−Ａ」が既知である機器Ａからの応答が確認されれば、受信データから機器Ａの無線部ＭＡＣアドレスを抽出する（ステップＳ５１）。
【００７４】
機器Ｂは、抽出した機器Ａの無線部ＭＡＣアドレスを送信先のアドレスとして、不揮発記憶部５ｂに記憶する（ステップＳ５２）。このとき、一時保存状態であった機器ＩＤ番号「機器ＩＤ−Ａ」についても不揮発記憶部５ｂに記憶し、認証モードを終了する（ステップＳ５３）。
【００７５】
一方、ステップＳ４９において、復号化ができない場合、すなわち機器ＩＤ番号が既知ではない機器Ａ以外の機器からの応答であった場合は、送信側の機器を認証せずに認証モードを終了する（ステップＳ５０）。
【００７６】
機器Ａおよび機器Ｂにおいてそれぞれ通信相手が確認されて認証モードが終了すると、以降の通常の通信モードにおいて、機器Ａと機器Ｂとの間でＡＶデータの無線伝送が実行される。
【００７７】
なお、図１に示した無線ＡＶ伝送機器１０の機能ブロック図の構成は、実際には図示しないデジタル・シグナル・プロセッサ（ＤＳＰ）によって、図４および図５に示すフロー図にしたがってソフトウェアで実行されるものである。このＤＳＰは、図４および図５に示すフロー図の各ステップを備えるプログラムを図示しないメモリから読み出して実行する。
【００７８】
図６は、図４および図５に示した機器Ａと機器Ｂとの間で行なわれる相互認証シーケンスを説明する図である。
【００７９】
図６を参照して、まず、機器Ａおよび機器Ｂは、図３に示す無線ＡＶ伝送機器１０Ａ，１０Ｂ内部のメディアスロット６ａ，６ｂに装着した記憶メディア２０Ａ，２０Ｂに自己に固有の機器ＩＤ番号「機器ＩＤ−Ａ」，「機器ＩＤ−Ｂ」をそれぞれ書込む（相互認証方法の状態１に相当）。
【００８０】
次に、機器Ａおよび機器Ｂは、記録メディア２０Ａ，２０Ｂを交換して自己のメディアスロット６ａ，６ｂに装着すると、記録メディア２０Ｂ，２０Ａに記憶されている伝送相手の機器ＩＤ番号「機器ＩＤ−Ｂ」，「機器ＩＤ−Ａ」を読み出す。さらに、読み出した機器ＩＤ番号を不揮発記憶部５ａ，５ｂに一時保存し、認証通信モードに移行する。
【００８１】
認証通信モードでは、機器Ａおよび機器Ｂはそれぞれ、自己に固有の無線部ＭＡＣアドレスを自己の機器ＩＤ番号を鍵として暗号化して、暗号化データをオープンアドレスに対して送信する。暗号化データは、機器Ａ以外の無線ＡＶ伝送機器１０の無線部２よって受信され得る。暗号化データを受信した無線ＡＶ伝送機器１０は、不揮発記憶部５に一時保存している伝送相手の機器ＩＤ番号を鍵として復号化を試みる。
【００８２】
詳細には、機器Ａには、自己に固有の無線部ＭＡＣアドレス（たとえば［１３４．１９９．１００．１］とする）が与えられている。機器Ａは、さらに、自己に固有の機器ＩＤ番号「機器ＩＤ−Ａ」（たとえば［０１０００１］とする）が付与されている。
【００８３】
機器Ａは、無線部ＭＡＣアドレスを自己の機器ＩＤ番号「機器ＩＤ−Ａ」を鍵として暗号化して生成したデータ（たとえば［ＴｆｌｌｌＰｐｏＡｂｄｌｈＹｇ］とする）を無線部２ａより送信する。
【００８４】
機器Ａの送信データは、機器Ｂの無線部２ｂにて受信されると、機器Ｂの不揮発記憶部５ｂに記憶されている機器ＩＤ番号「機器ＩＤ−Ａ」を鍵として復号化される。このとき、機器Ｂには、伝送相手となる機器Ａの機器ＩＤ番号「機器ＩＤ−Ａ」（［０１０００１］に相当）が既に記憶されているため、この機器ＩＤ番号により復号化したデータ［１３４．１９９．１００．１］が得られる。この復号化データは、当然ながら機器Ａの無線部ＭＡＣアドレスに一致する。機器Ｂは、機器Ａを伝送相手と認証し、復号化したデータを機器Ａの無線部ＭＡＣアドレスとして不揮発記憶部５ｂに記憶する。
【００８５】
機器Ｂ側においても同様に、機器Ｂの無線部ＭＡＣアドレス（たとえば［１３４．１９９．１１０．２５］とする）を機器ＩＤ番号「機器ＩＤ−Ｂ」（たとえば［０１０００２］とする）を鍵として暗号化し、暗号化したデータ（たとえば［ＨＤＷｑｐｕＨＵｙＨｔｇｆｒ］とする）を無線部２ｂより送信する。
【００８６】
機器Ｂの送信データは、機器Ａの無線部２ａにて受信されると、機器Ａの不揮発記憶部５ａに記憶されている機器ＩＤ番号「機器ＩＤ−Ａ」を鍵として復号化される。このとき、機器Ａには、伝送相手となる機器Ｂの機器ＩＤ番号「機器ＩＤ−Ｂ」（［０１０００１］に相当）が既に記憶されているため、この機器ＩＤ番号により復号化したデータ［１３４．１９９．１１０．２５］は、機器Ｂの無線部ＭＡＣアドレスとして抽出され、不揮発記憶部５ａに記憶される。機器Ａは、機器Ｂを無線伝送相手と認証し、認証モードを終了する。
【００８７】
機器Ａおよび機器Ｂにおいて、それぞれ認証モードが終了すると、以降の無線伝送は、記憶している伝送相手の無線部ＭＡＣアドレスを宛先に指定して行なわれる。
【００８８】
以上のように、この発明の実施の形態によれば、機器ＩＤ番号が既知の無線ＡＶ伝送機器とのみ認証動作が行なわれるため、相互認証時の他の家庭やオフィスとの誤認混信を回避することができ、無線ＡＶ伝送システムにおける高いセキュリティの保持が可能となる。
【００８９】
また、伝送相手の機器ＩＤ番号の記録は、記録メディアを媒体として容易に行なうことができるため、複雑な処理手段を要せず、簡易に相互認証を行なうことができる。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９１】
【図１】この発明の実施の形態に従う無線ＡＶ伝送機器の全体構成を示す機能ブロック図である。
【図２】２つの無線ＡＶ伝送機器１０の間で行なわれるＡＶデータの無線伝送を説明するための概略図である。
【図３】図１の無線ＡＶ伝送機器１０における相互認証方法を説明するための概略図である。
【図４】図３に示す相互認証動作の前半部（状態１から状態２の前半まで）を説明するためのフロー図である。
【図５】図３に示す相互認証動作の後半部（状態２の後半から状態３まで）を説明するためのフロー図である。
【図６】図４および５に示した機器Ａと機器Ｂとの間で行なわれる相互認証シーケンスを説明する図である。
【図７】無線ＡＶ伝送機器の一般的な使用形態を説明するための概略図である。
【図８】特許文献１に記載の相互認証方式を説明するための構成図である。
【符号の説明】
【００９２】
１，１ａ，１ｂ  映像音声入出力部、２，２ａ，２ｂ  無線部、３，３ａ，３ｂ  アンテナ、４，４ａ，４ｂ  制御部、５，５ａ，５ｂ  不揮発記憶部、６，６ａ，６ｂ  メディアスロット、７，７ａ，７ｂ  リモコン制御部、１０，１０Ａ，１０Ｂ，７０ａ〜７０ｃ  無線ＡＶ伝送機器、２０，２０Ａ，２０Ｂ  記録メディア、４０ａ〜４０ｃ  ＡＶデータ表示装置、５０ａ，５０ｂ  ＡＶデータ再生装置、６０ｂ  赤外線発光モジュール、８０  家庭、１００  情報担体、１０１  第１の記憶手段、１０２  第２の記憶手段、１０３  第１の復号化手段、１０４  結合手段、１０５  第１の暗号化手段、１０６  乱数生成手段、１０７  第１の比較手段、１０８  第１の伝送手段、１１０  情報処理装置、１１１  第３の記憶手段、１１２  データ処理手段、１１３  第２の暗号化手段、１１４  分離手段、１１５  第２の復号化手段、１１６  鍵生成手段、１１７  第２の比較手段、１１８  第２の伝送手段。
【図１】
2005286595.tif 000003
【図２】
2005286595.tif 000004
【図３】
2005286595.tif 000005
【図４】
2005286595.tif 000006
【図５】
2005286595.tif 000007
【図６】
2005286595.tif 000008
【図７】
2005286595.tif 000009
【図８】
2005286595.tif 000010